(57)【要約】【課題】合成樹脂製の不織布車シートカバーの利用方法を提供する。【解決手段】（ａ）ＰＥ、ＰＰ、ＰＥＴ等の合成樹脂製の不織布で作成され、車の座席１、背もたれ２、ヘッドレスト３の形状にそれぞれ形作られて座席、背もたれ、ヘッドレストを覆う車シートカバー４、５、６を準備するステップＳ11と、（ｂ）車シートカバーの背もたれカバー５に広告８を表示するステップＳ12と、（ｃ）車シートカバーを座席、背もたれ、ヘッドレストに装着するステップＳ13と、（ｄ）車シートカバーが所定期間使用された後回収するステップＳ14と、（ｅ）回収された車シートカバーを解砕するステップＳ15と、（ｆ）古紙、木屑、繊維クズ等の植物繊維を解砕しＳ16、解砕された車シートカバーに、解砕された古紙、木屑、繊維クズ等の植物繊維を混合し、造形して固形燃料を生成することによって再利用するステップＳ17とからなる。【選択図】図７
2009131568.tif 000002
【特許請求の範囲】
【請求項１】
（ａ）ＰＥ、ＰＰ、ＰＥＴ等の合成樹脂製の不織布で作成され、車の座席、背もたれ、ヘッドレストの形状にそれぞれ形作られて前記座席、前記背もたれ、前記ヘッドレストを覆う車シートカバーを準備するステップと、
（ｂ）前記車シートカバーの背もたれカバーに広告を表示するステップと、
（ｃ）前記車シートカバーを前記座席、前記背もたれ、前記ヘッドレストに装着するステップと、
（ｄ）前記車シートカバーが所定期間使用された後回収するステップと、
（ｅ）回収された前記車シートカバーを解砕するステップと、
（ｆ）古紙、木屑、繊維クズ等の植物繊維を解砕し、解砕された車シートカバーに、解砕された古紙、木屑、繊維クズ等の植物繊維を混合し、造形して固形燃料を生成することによって再利用するステップとからなることを特徴とする車シートカバーの利用方法。
【請求項２】
（ａ）ＰＥ、ＰＰ、ＰＥＴ等の合成樹脂製の不織布で作成され、車の座席、背もたれ、ヘッドレストの形状にそれぞれ形作られて前記座席、前記背もたれ、前記ヘッドレストを覆う車シートカバーを準備するステップと、
（ｂ）前記車シートカバーの背もたれカバーに広告を表示するステップと、
（ｃ）前記車シートカバーを前記座席、前記背もたれ、前記ヘッドレストに装着するステップと、
（ｄ）前記車シートカバーが所定期間使用された後回収するステップと、
（ｅ）回収された前記車シートカバーを溶融して容器等の成形品を生成することによって再利用するステップとからなることを特徴とする車シートカバーの利用方法。
【発明の詳細な説明】
【技術分野】
【０００１】
本発明は、車シートカバーの利用方法に関し、特に車シートカバー自体の使用、車シートカバーの広告媒体使用、車シートカバーの固形燃料、成形品での再利用を含む合成樹脂製の不織布車シートカバーの利用方法に関する。
【背景技術】
【０００２】
従来から、不特定多数の人が利用するタクシーにおいては、乗客に快適な空間を提供する手段の一つとして、糊の利いた真っ白なシートカバーが使用され、２週間ほどのサイクルで定期的に交換し、クリーニングする方法が取られている。観光バスや長距離バス等においても、次の乗客を乗せるときにはシートカバーを交換している。
【０００３】
シートカバーの素材はクリーニングに適する厚手の綿やレース等を主体とする布地である。これら布製のシートカバーは、座面、背もたれ、ヘッドレストを覆って弛みなく装着されるよう、車内のシート、背もたれ、ヘッドレストの形状にあわせて成形されると共に、ファスナー、スナップ、紐、ゴム等でしっかり固定されている。このため、交換する際には、スナップの留め外し、紐の結解を伴う手間がかかるという難点がある。特にタクシーの運転席背部には防犯用の防護板があるためこれが邪魔になってシートカバーの着脱に手間取るという問題点がある。また、ゴム等は耐久性が劣り布より先にゴムが劣化するという難点がある。
【０００４】
そこで、座席への取り付けが簡単で耐久性もある掛止帯を備えた自動車用シートカバーが提案されている（特許文献１）。また、防護板のあるタクシーでも着脱が容易で常に正しい被着状態を保てるタクシーの運転席用になるシートカバーが提案されている（特許文献２）。あるいは、シートの片面または両面に、面ファスナーとして機能する所定幅の糸撚り部を設けた一枚布状のシートカバーが提案されている（特許文献３）。
【０００５】
【特許文献１】特開２００５−２８７５５８
【特許文献２】特開２００６−２６１７９
【特許文献３】特開平１０−３１３９８６
【発明の開示】
【発明が解決しようとする課題】
【０００６】
これらのシートカバーは、クリーニングして繰り返し使用するのを前提にしてしっかり縫製されるのでコストが高く、着脱に手間取るとともに、その最終廃棄処分にあたり回収が面倒で、それなりの時間とかなりの費用を要するという難点がある。
【０００７】
本発明は、このような難点を解消するためになされたもので、座面、背もたれ、ヘッドレストを覆い、弛みなく装着でき、かつ外すのが容易で、コストを抑え、広告スペースも確保した使い捨て可能な合成樹脂製の不織布車シートカバーを広告媒体として利用し、合成樹脂製であるがために廃棄処分される不織布車シートカバーを再利用し、資源の有効活用を図る車シートカバーの利用方法を提供することをその目的とする。
【課題を解決するための手段】
【０００８】
この目的を達成するために、本発明の車シートカバーの利用方法は、その第１の形態において、
（ａ）ＰＥ、ＰＰ、ＰＥＴ等の合成樹脂製の不織布で作成され、車の座席、背もたれ、ヘッドレストの形状にそれぞれ形作られて座席、背もたれ、ヘッドレストを覆う車シートカバーを準備するステップと、
（ｂ）車シートカバーの背もたれカバーに広告を表示するステップと、
（ｃ）車シートカバーを座席、背もたれ、ヘッドレストに装着するステップと、
（ｄ）車シートカバーが所定期間使用された後回収するステップと、
（ｅ）回収された車シートカバーを解砕するステップと、
（ｆ）古紙、木屑、繊維クズ等の植物繊維を解砕し、解砕された車シートカバーに、解砕された古紙、木屑、繊維クズ等の植物繊維を混合し、造形して固形燃料を生成することによって再利用するステップとからなる。
【０００９】
また、本発明の車シートカバーの利用方法は、その第２の形態において、
（ａ）ＰＥ、ＰＰ、ＰＥＴ等の合成樹脂製の不織布で作成され、車の座席、背もたれ、ヘッドレストの形状にそれぞれ形作られて座席、背もたれ、ヘッドレストを覆う車シートカバーを準備するステップと、
（ｂ）車シートカバーの背もたれカバーに広告を表示するステップと、
（ｃ）車シートカバーを座席、背もたれ、ヘッドレストに装着するステップと、
（ｄ）車シートカバーが所定期間使用された後回収するステップと、
（ｅ）回収された車シートカバーを溶融して容器等の成形品を生成することによって再利用するステップとからなる。
【発明の効果】
【００１０】
本発明の車シートカバーの利用方法によれば、座面、背もたれ、ヘッドレストを覆い、弛みなく装着でき、かつ外すのが容易で、コストを抑え、広告スペースも確保した使い捨て可能な合成樹脂製の不織布車シートカバーを広告媒体として利用し、合成樹脂製であるがために廃棄処分される不織布車シートカバーを再利用し、資源の有効活用を図ることができる。
【発明を実施するための最良の形態】
【００１１】
以下、本発明の車シートカバーの利用方法について、その最良の実施形態を図面を参照して詳細に説明する。
【００１２】
本発明の車シートカバーの利用方法に使用する車シートカバーは、車の座席、背もたれ、ヘッドレストの形状にそれぞれ形作られて、座席、背もたれ、ヘッドレストを覆う車シートカバーで、ＰＰ（ポリプロピレン）、ＰＥＴ（ポリエチレンテレフタレート）、ＰＥ（ポリエチレン）等の合成樹脂製の不織布で作成されている。
【００１３】
第１のシートカバー態様例は、図１（ａ）に示すようなタクシーの運転席に好適なもので、不織布によって座席１、背もたれ２、ヘッドレスト３の形状にそれぞれ縫製されている。
【００１４】
図１（ａ）、図２（ａ）に示すように、座席１のカバー４は、座席１の座面１０を覆う座面部４１と、座面部４１から延設されて座席１の裏面の外周部を覆う裏面外周部４２と、裏面外周部４２の４角を引き締めるため裏面外周部４２に掛け渡されたゴム部材４３とからなる。座面部４１と裏面外周部４２とはミシン止めされている。裏面外周部４２も数箇所互いにミシン止めされて座席１の裏面の外周部に沿う形状に構成されている。裏面外周部４２に掛け渡されるゴム部材４３の数は、図２（ａ）では４本で示したが、クロス状態に２本でもよく、図に限定されない。
【００１５】
図１（ａ）、図３（ａ）に示すように、背もたれのカバー５は、背もたれ２を覆う背部５１と、背もたれ２の左右脇２０、２０をそれぞれ包囲して背面に回りこむ脇部５２、５２と、背もたれ２の上面２１を包囲して背面に回りこむ上背部５３とからなり、ヘッドレスト３の脚３０が挿通される切り欠き５４、５４が上背部５３に設けられ、上背部５３の左右端にはそれぞれ上背部面ファスナー５３ｆ、５３ｆが設けられ、左右の脇部５２、５２それぞれの上部には上背部面ファスナー５３ｆ、５３ｆに対応する脇部面ファスナー５２ｆ、５３ｆが設けられ、左右の脇部５２、５２の一方には他方の脇部５２と連結される帯部５５が設けられ、帯部５５の先端には帯部面ファスナー５５ｆが設けられ、帯部面ファスナー５５ｆに対応する帯部対応面ファスナー５６ｆが他方の脇部５２に設けられており、図３（ｂ）に示すような形状に装着されるものである。
【００１６】
上背部５３は背部５１の延長として１枚の不織布で構成されうるが、左右の脇部５２、５２は背部５１にミシン止めされ、また、面ファスナーも所定位置にミシン止めされている。
【００１７】
図１（ａ）、図４（ａ）、（ｂ）、（ｃ）に示すように、ヘッドレスト３のカバー６は、半楕円形の左右両側部６１、６１と、左右両側部６１、６１を連結してかまぼこ型に形作られる山型部６２と、かまぼこ型の底面外周を伸縮可能とするゴム部材６３とを備えている。
【００１８】
第２のシートカバー態様例は、図１（ｂ）に示すようなタクシーの後部座席に好適なもので、運転席と同様に不織布によって座席１、背もたれ２、ヘッドレスト３の形状にそれぞれ縫製されている。
【００１９】
図１（ｂ）、図２（ｂ）に示すように、座席１のカバー４は、座席１の座面１０を覆う座面部４１と、座面部４１から延設されて座席１の裏面の外周部を覆う裏面外周部４２と、裏面外周部４２の４角を引き締めるため裏面外周部４２に掛け渡されたゴム部材４３とからなる。座面部４１と裏面外周部４２とはミシン止めされている。裏面外周部４２も数箇所互いにミシン止めされて座席１の裏面の外周部に沿う形状に構成されている。裏面外周部４２に掛け渡されるゴム部材４３の数は、図２（ｂ）では４本で示したが、クロス状態に２本でもよく、図に限定されない。
【００２０】
図１（ｂ）、図５に示すように、背もたれのカバー５は、背もたれ２を覆う背部５１と、背もたれ２の左右脇２０、２０をそれぞれ包囲して背面に回りこむ脇部５２、５２と、背もたれ２の上面２１を包囲して背面に回りこむ上背部５３とからなり、上背部５３に、背もたれ２の上面に隆起するヘッドレスト３、３を包み込む形状に隆起部５１１、５１１が形作られている。
【００２１】
広い面積を占め、客の乗降時、または空車で停車しているときなどに目に付きやすい背もたれのカバー５の背部５１には、図５に示すような広告８が施されている。
【００２２】
上背部５３は背部５１の延長として１枚の不織布で構成されうるが、左右の脇部５２、５２と、ヘッドレスト３、３を包み込む隆起部５１１、５１１は、背部５１にミシン止めされている。
【００２３】
また、背部５１に施される広告８は、車シートカバーの交換（実際には車シートカバーとしては使い捨て）にあわせた２週間前後のサイクルで定期的に変わる催事広告が好適であり、その他、繰り返し同一広告を一定期間掲示してもよい。白色またはそれに近い不織布製の車シートカバーに所望の広告８を施す方法は、乗客の衣服や持ち物等に転写することなく、発色よく、またごわごわ感もない公知の昇華プリントが最適である。
【００２４】
第３のシートカバー態様例は、図１（ｃ）に示すような後部座席のヘッドレスト３が脚（図示せず）に取り付けられ着脱可能なタイプの後部座席に好適なもので、運転席と同様に不織布によって座席１、背もたれ２、ヘッドレスト３の形状にそれぞれ縫製されている。
【００２５】
図１（ｃ）、図２（ｂ）に示すように、座席１のカバー４は、座席１の座面１０を覆う座面部４１と、座面部４１から延設されて座席１の裏面の外周部を覆う裏面外周部４２と、裏面外周部４２の４角を引き締めるため裏面外周部４２に掛け渡されたゴム部材４３とからなる。座面部４１と裏面外周部４２とはミシン止めされている。裏面外周部４２も数箇所互いにミシン止めされて座席１の裏面の外周部に沿う形状に構成されている。裏面外周部４２に掛け渡されるゴム部材４３の数は、図２（ｂ）では４本で示したが、クロス状態に２本でもよく、図に限定されない。
【００２６】
図１（ｃ）、図６（ａ）、（ｂ）に示すように、背もたれのカバー５は、個々の座席に分けて用意され、背もたれ２を覆う背部５１と、背もたれ２の左右脇２０、２０をそれぞれ包囲して背面に回りこむ脇部５２、５２と、背もたれ２の上面２１を包囲して背面に回りこむ上背部５３とからなり、ヘッドレスト３の脚３０が挿通される穴５７、５７およびシートベルト９が挿通される穴５８が上背部５３に設けられている。
【００２７】
更に、座席に肘掛（図示せず）がある車種では、脇２０の形状が肘掛を覆えるよう大きく構成されるものである。
【００２８】
上背部５３は背部５１の延長として１枚の不織布で構成されうるが、途中でミシン止めされることも可能であり、左右の脇部５２、５２は背部５１および上背部５３にミシン止めされている。脚３０が挿される穴５７およびシートベルト９が挿通される穴５８の周囲にはミシン止めが施されてもよい。
【００２９】
なお、上述いずれのシートカバー態様例においても、不織布と不織布、あるいは不織布と面ファスナーの固定は、ミシン止めに限定されず、熱溶着その他公知の手段で行うことができる。
【００３０】
ヘッドレスト３のカバー６は、第１の実施例と同様に、半楕円形の左右両側部６１、６１と、左右両側部６１、６１を連結してかまぼこ型に形作られる山型部６２と、かまぼこ型の底面外周を伸縮可能とするゴム部材６３とを備えている。
【００３１】
上述の昇華プリントは、インクジュットプリンタで印字した転写紙と布を合せて熱圧着機で加熱し、気化したインクが布の分子構造に入り込んで染色するもので、２３０℃に高温加熱されるため、昇華プリントされた広告８を有する背部５１は、それに耐え得るポリエステル系のＰＥＴ素材の不織布が最適である。昇華プリントのない部分は、価格の安いＰＰ製の不織布が好適である。
【００３２】
以上のシートカバー態様例では、タクシーを例に説明したが、この車シートカバーは、観光バスや長距離バス等不特定多数の人が利用する車の車シートカバーとして同様に好適である。
【００３３】
このように作成された車シートカバーを使用して、本発明の車シートカバーの利用方法は実行される。
【００３４】
本発明の車シートカバーの利用方法は、その第１の形態において、以下のステップで遂行される（図７）。
【００３５】
（ａ）ＰＥ、ＰＰ、ＰＥＴ等の合成樹脂製の不織布で作成され、車の座席１、背もたれ２、ヘッドレスト３の形状にそれぞれ形作られて座席、背もたれ、ヘッドレストを覆う車シートカバー４、５、６を準備するステップ（Ｓ11）、
（ｂ）車シートカバーの背もたれカバー５に広告８を表示するステップ（Ｓ12）、
（ｃ）車シートカバーを座席、背もたれ、ヘッドレストに装着するステップ（Ｓ13）、
（ｄ）車シートカバーが所定期間使用された後回収するステップ（Ｓ14）、
（ｅ）回収された車シートカバーを解砕するステップ（Ｓ15）、
（ｆ）古紙、木屑、繊維クズ等の植物繊維を解砕し（Ｓ16）、解砕された車シートカバーに、解砕された古紙、木屑、繊維クズ等の植物繊維を混合し、造形して固形燃料を生成することによって再利用するステップ（Ｓ17）。
【００３６】
こうして製造された固形燃料は、例えば製鉄所においてコークスとして再利用され、資源のリサイクルとして有効活用される。
【００３７】
また、本発明の車シートカバーの利用方法は、その第２の形態において、以下のステップで遂行される（図８）。
【００３８】
（ａ）ＰＥ、ＰＰ、ＰＥＴ等の合成樹脂製の不織布で作成され、車の座席１、背もたれ２、ヘッドレスト３の形状にそれぞれ形作られて座席、背もたれ、ヘッドレストを覆う車シートカバー４、５、６を準備するステップ（Ｓ21）、
（ｂ）車シートカバーの背もたれカバー５に広告８を表示するステップ（Ｓ22）、
（ｃ）車シートカバーを座席、背もたれ、ヘッドレストに装着するステップ（Ｓ23）、
（ｄ）車シートカバーが所定期間使用された後回収するステップ（Ｓ24）、
（ｅ）回収された車シートカバーを溶融して容器等の成形品を生成することによって再利用する（Ｓ25）。
【００３９】
こうして製造された成形品は、例えば合成樹脂容器として再利用され、資源のリサイクルとして有効活用される。
【００４０】
このようにして、本発明の車シートカバーの利用方法によれば、座面、背もたれ、ヘッドレストを覆い、弛みなく装着でき、かつ外すのが容易で、コストを抑え、広告スペースも確保した使い捨て可能な合成樹脂製の不織布車シートカバーを広告媒体として利用し、合成樹脂製であるがために廃棄処分される不織布車シートカバーを再利用し、資源の有効活用を図ることができる。
【図面の簡単な説明】
【００４１】
【図１】本発明の車シートカバーが採用される車のシートの図で、（ａ）はタクシーの運転席の図、（ｂ）、（ｃ）は後部座席の図である。
【図２】本発明の車シートカバーのうち座席のカバーの図で、（ａ）はタクシーの運転席に対応するカバーの図、（ｂ）は後部座席の図である。
【図３】本発明の車シートカバーのうちタクシーの運転席に対応する背もたれのカバーの図で、（ａ）はカバーを広げた前面図、（ｂ）は装着状態に整形した後面図である。
【図４】本発明の車シートカバーのうちヘッドレストのカバーの図で、（ａ）は斜め後方から見た図、（ｂ）は斜め前方から見た図、（ｃ）は底面外周のゴムを絞った状態の図である。
【図５】本発明の車シートカバーのうち座席のカバーの図で、図１（ｂ）の後部座席に対応する座席のカバーの図である。
【図６】本発明の車シートカバーのうち座席のカバーの図で、図１（ｃ）の後部座席に対応する座席のカバーの図である。
【図７】本発明の車シートカバーの利用方法を第１の形態について説明するフローチャートである。
【図８】本発明の車シートカバーの利用方法を第２の形態について説明するフローチャートである。
【符号の説明】
【００４２】
１：座席
１０：座面
２：背もたれ
２０：左右脇
２１：上面
３：ヘッドレスト
３０：脚
４：座席のカバー
４１：座面部
４２：裏面外周部
４３：ゴム部材
５：背もたれのカバー
５１：背部
５１１：隆起部
５２：脇部
５２ｆ：脇部面ファスナー
５３：上背部
５３ｆ：上背部面ファスナー
５４：切り欠き
５５：帯部
５５ｆ：帯部面ファスナー
５6ｆ：帯部対応面ファスナー
５７、５８：穴
６：ヘッドレストのカバー
６１：側部
６２：山型部
６３：ゴム部材
８：広告
９：シートベルト
【図１】
2009131568.tif 000003
【図２】
2009131568.tif 000004
【図３】
2009131568.tif 000005
【図４】
2009131568.tif 000006
【図５】
2009131568.tif 000007
【図６】
2009131568.tif 000008
【図７】
2009131568.tif 000009
【図８】
2009131568.tif 000010